(57)【特許請求の範囲】
【請求項１】
相溶性樹脂製のシールが貼付されたままでリサイクル可能な樹脂成形品において、前記シールに、前記シールを貼付したままで当該樹脂成形品がリサイクル可能であることを示すマークが印刷された樹脂成形品であって、
当該樹脂成形品の概略形状図と前記シールが貼付されている部位を表示するマークが印刷された相溶性樹脂製の表示用シールを備え、該表示用シールを成形品本体の裏側あるいは内側に貼付したことを特徴とする樹脂成形品。
【請求項２】
前記マークとして絵文字を用いたことを特徴とする請求項１記載の樹脂成形品。
【発明の詳細な説明】
【０００１】
【発明の属する技術分野】
本発明は、複写機，ファクシミリ装置，コンピュータ機器等の外装部品などのリサイクル可能な樹脂成形品に関するものである。
【０００２】
【従来の技術】
通常、複写機あるいはファクシミリ装置における外装ケース，枠体などには、例えば図６に示すシール３０のように、消耗品の発注先あるいは修理のための連絡先などを表示するための各種シールが貼付されている。
【０００３】
ところで、近年では、リサイクル上の問題から前記各種シールを、ＰＳ(ポリスチレン)樹脂，ＡＢＳ（アクリロニトリル・ブタジエン・スチレン）樹脂，ＰＰＥ(ポリフェニレンエーテル)樹脂などからなる外装ケースあるいは枠体などの樹脂成形品から剥がさずに貼ったままで、それらのシールと樹脂成形品とを一体的に再生処理しても、再生樹脂の特性が劣化しないようにするため、前記各種シールとして、当該シールを貼付する樹脂成形品に対して相溶性を有する樹脂シール材、例えば大日本インキ化学工業(株)製のダイハートからなるシールが開発され、使用されてきている。
【０００４】
そして現在では、リサイクル業者に樹脂成形品に貼付されたシールが、相溶性樹脂製のシールであることを認識させるため、図６に示すシール３０のように「このシールをはがさずにリサイクルできます」という表示を、材質表示である「＞ＰＳ＜」の表示と共に各種シールの１枚１枚に印刷している。
【０００５】
【発明が解決しようとする課題】
しかしながら、前記のような従来のシール３０による表示であると、そのシールが小さなものであればある程、見やすい印刷が行われるための印刷スペースを確保することが困難となり、また、例えば操作パネルのような顧客においてよく目に触れる部位に貼付されるシールでは、前記表示をするために操作パネルにおける操作性、あるいは使い勝手に影響を与えるおそれがあり、さらに外観上にも好ましくないという問題があった。
【０００６】
そこで本発明は、前記のようなリサイクル時の注意事項を表示するシールの印刷，表示スペース上の問題を解消し、当該成形品によって構成される機器，装置における各部が本来有している操作性あるいは外観などを損なうことなく、各種表示がなされたシールとの一体リサイクルが容易に行えるようにした樹脂成形品を提供することを目的とする。
【０００７】
【課題を解決するための手段】
前記目的を達成するため、本発明は、相溶性樹脂製のシールが貼付されたままでリサイクル可能な樹脂成形品において、前記シールに、前記シールを貼付したままで当該樹脂成形品がリサイクル可能であることを示すマークが印刷された樹脂成形品であって、当該樹脂成形品の概略形状図と前記シールが貼付されている部位を表示するマークが印刷された相溶性樹脂製の表示用シールを備え、該表示用シールを成形品本体の裏側あるいは内側に貼付したことを特徴とし、このように構成したことにより、成形品本体において外観に大きな影響を与える表面側にマーク表示しなくても、成形品本体に貼られた相溶性樹脂製のシールの位置を正確に把握することができ、しかも、当該成形品によって構成される機器本体の外観をマークなどの存在によって損なわれることを防ぐことができる。
【０００８】
また本発明において、前記マークとして絵文字を用いることも可能である。
【０００９】
【発明の実施の形態】
以下、本発明の好適な実施形態について図面を参照しながら説明する。
【００１０】
図１は本発明の実施形態を説明するための参考例１のファクシミリ装置の操作パネル部分を示す平面図であり、１は例えばＡＢＳ樹脂からなる外装ケースであって、スタートボタン，ストップボタンあるいはテンキーなどが設置された操作部分２、および各種の設定モード，動作状態などが表示される表示部分３などが設けられている。この表示部分３には、外装ケース１の成形樹脂をリサイクルする際に、一緒に再生処理してもその特性を低下させない、すなわち不純物とならない相溶可能な相溶性樹脂のシール（例えば大日本インキ化学工業(株)製のダイハート製のシール）４が貼付され、このシール４には前記各種の設定モード，動作状態などの表示が印刷されている。
【００１１】
また本例では、外装ケース１の外側壁部１ａに、図２に示すような印刷がなされた相溶性樹脂製のシール５が貼付されている。その外側壁部１ａのシール５には、材質表示「ＡＢＳ」とグレード表示「ＮＣ１１８Ｗ」と、これらの表示部分の近傍に「この部品に貼られているシールをはがさずにリサイクルできます」という表示が印刷されている。特に材質表示「ＡＢＳ」の近傍にこの表示をすることによって、リサイクル業者における前記表示の見落としを防止することが可能になる。
【００１２】
このようにシール５を貼付しておくことによって、従来では図６に示すような各種表示などが印刷された複数の相溶性樹脂製のシール３０を、装置全体の各部にそれぞれ貼付していたものを、本例のように外側壁部１ａの１枚のシール５が代表して、貼付されているシールはそのままでも一体リサイクル（再生処理）が可能である旨の表示をすることになり、したがって、シール５以外の各種表示がなされた相溶性樹脂製のシールの１枚１枚に、このシールをはがさずにリサイクルできますという旨の表示をしなくてもよくなる。
【００１３】
なお、前記「この部品に貼られているシールをはがさずにリサイクルできます」という表示は、前記材質表示「ＡＢＳ」とグレード表示「ＮＣ１１８Ｗ」との表示部分の近傍に型彫りなどの方法によって、外装ケース１に直接刻設するようにしてもよい。
【００１４】
また前記「この部品に貼られているシールをはがさずにリサイクルできます」という表示は、一般のユーザには目に触れずに、しかしながら、リサイクル業者は気付くことができるような部位（例えば外装ケース１における外側壁部１ａでなくて、外装ケース１の内側壁部）に行うことがより好ましい。
【００１５】
図３は参考例２におけるリサイクルに係る表示をしたシールの説明図であり、このシール６は、前記参考例１におけるシール５と同様に用いられ、材質表示「ＡＢＳ」とグレード表示「ＮＣ１１８Ｗ」との表示部分の近傍に、例えば「この部品に貼られている３枚のシールをはがさずにリサイクルできます」という表示が印刷されている。この「３枚」の意味は、当初から貼付されていた相溶性樹脂製のシールの枚数を示している。
【００１６】
したがって、図３に示すシール６の表示によって、前記参考例１の効果を得ることができると共に、後から顧客によって貼付されてリサイクル時に剥がす必要があるシールの存在を判断することができる。しかも、当初から貼付されていたシールを特定することができれば、後から貼付されたシールを特定して除去することができる。
【００１７】
また参考例２における表示も、前記材質表示「ＡＢＳ」とグレード表示「ＮＣ１１８Ｗ」との表示部分の近傍に型彫りなどの方法によって、部品に直接刻設するようにしてもよい。
【００１８】
図４は参考例３を説明するためのファクシミリ装置における操作パネルの一部を示す平面図である。なお、図１を参照して説明した部材に対応する部材には同一符号を付して詳しい説明は省略する。
【００１９】
図４において、外装ケース１の表示部分３には、相溶性樹脂製のシール４が貼付されており、このシール４には前記各種の設定モード，動作状態などの種類が印刷されており、シール４が貼付されている表示部分３の横の外装ケース１上には、三角形状のマーク１０が設けられており、マーク１０は、この表示部分３に貼付されているシールが相溶性樹脂製のシールであり、かつ、この部品に貼られているシールをはがさずにリサイクルできる、という意味を有する表示であって、この表示の意味を理解しているリサイクル業者においては、マーク１０を一見して、この外装ケース１がシールをはがさずに一体リサイクルが可能であることを理解することができる。
【００２０】
このようにマーク１０を設けておくことによって、当該マーク１０によって、貼付されているシールはそのままでも一体リサイクルが可能である旨の表示がなされたことになり、したがって、もし表示部分３における相溶性樹脂製のシール４以外にも、各種表示などが印刷された複数の相溶性樹脂製のシールを他の各部に貼付する必要があっても、それらの各種表示がなされた相溶性樹脂製のシールの１枚１枚に、このシールをはがさずにリサイクルできるという旨の表示をしなくてもよくなる。
【００２１】
さらに、マーク１０によって当初(工場出荷時)から貼付されていた相溶性樹脂製のシールの位置を表示することになり、このため、後からユーザによって他の部位に貼られたシールと区別することができる。したがって、後から貼られて、リサイクルに支障を与える材質不明のシールをはがすことができる。
【００２２】
マーク１０は、相溶性樹脂製のシールに印刷して、そのシールを該当部位に貼付したり、あるいは外装ケース１の該当部位に直接印刷したり、型彫りなどの方法によって外装ケース１に直接刻設することなどが考えられる。また、マーク１０としては、幾何学模様あるいは絵文字などの任意の形態のものを採用することができる。
【００２３】
なお、マーク１０の表示部位としては、一般のユーザには目に触れないが、リサイクル業者は気付くことができるような部位であることが外装ケース１の外観上好ましく、例えば外装ケース１における裏側あるいは内側に設けることが好ましい。
【００２４】
図５は本発明の実施形態を説明するためのリサイクルに係る表示例の説明図であって、図１のファクシミリ装置における操作パネルを対象として説明する。
【００２５】
図５において、２０は相溶性樹脂製の表示用シールであり、この表示用シール２０に、図１に示した操作パネル全体の概略を描いた概略形状図２１と、この概略形状図２１上に操作パネルにおける相溶性樹脂製のシール４の貼付部分(この例では図１の外装ケース１における表示部分３)を示す矢印マーク２２とを印刷し、表示用シール２０を外装ケース１における裏側あるいは内側に貼付する。
【００２６】
このため、外装ケース１におけるユーザの目に触れる表外側部分に、相溶性樹脂製のシール４を貼付している部分を示すためのマークを設けなくても、外装ケース１の裏側あるいは内側において表示用シール２０を見ることによって、操作パネルのどの部分に相溶性樹脂製のシール４が貼付されているのかを容易に認識することができる。
【００２７】
したがって、外装ケース１の外観を損なうことなく、相溶性樹脂製シールの貼付位置を表示することができるため、前記と同様に、後からユーザによって貼付されたリサイクル時にはがす必要があるシールを、相溶性樹脂製のシール４とは区別することができ、よって、リサイクル作業に際して、リサイクルに支障がある材質不明のシールを容易に除去することができる。
【００２８】
前記操作パネル部分の概略形状図２１と矢印マーク２２は、前記のように相溶性樹脂製の表示用シール２０に印刷する他に、外装ケース１の裏側あるいは内側に直接印刷したり、あるいは型彫りなどの方法によって外装ケース１の裏側あるいは内側に直接刻設することなどが考えられる。また、前記の例では矢印マーク２２を採用したが、マークとしては、幾何学模様あるいは絵文字などの任意の形態のものを採用することができる。
【００２９】
また、操作パネル以外の成形品であっても、前記と同様に、その成形品の概略形状図と、その概略形状図上に相溶性樹脂製のシールの貼付部分を示すマークを設けることによって、後から貼付されたリサイクルに支障がある材質不明のシールを除去することができる。
【００３０】
【発明の効果】
以上説明したように、本発明の樹脂成形品によれば、相溶性樹脂製のシールが貼付された位置を把握することができ、しかも、マークによって相溶性樹脂製のシール貼付部分の表示を行うことができるため、後から顧客によって貼付されたリサイクル時に除去すべき材質不明のシールと相溶性樹脂製のシールとの区別が可能になり、リサイクル作業が容易になる。さらに、当該成形品によって構成される機器本体の外観をマークなどの存在によって損なわれることを防ぐことができる。
【図面の簡単な説明】
【図１】  本発明の実施形態を説明するための参考例１のファクシミリ装置の操作パネル部分を示す平面図
【図２】  図１のシールの表示例を示す説明図
【図３】  参考例２を説明するためのシールの表示例を示す説明図
【図４】  参考例３を説明するためのファクシミリ装置の操作パネル部分を示す平面図
【図５】  本発明の実施形態を説明するためのリサイクルに係る表示例の説明図
【図６】  従来のシールの表示例を示す説明図
【符号の説明】
１  外装ケース
１ａ  外装ケースの外側壁部
２  操作部分
３  表示部分
４  シール
５，６  リサイクルに係る表示がなされたシール
１０  マーク
２０  表示用シール
２１  概略形状図
２２  矢印マーク
【図１】
0003796600.tif 000002
【図２】
0003796600.tif 000003
【図３】
0003796600.tif 000004
【図４】
0003796600.tif 000005
【図５】
0003796600.tif 000006
【図６】
0003796600.tif 000007